(57)【要約】【課題】落下等の外力が作用した場合にも、オン・オフを電気的に切り替えるため一方向に往復移動されるスイッチ突起が破損することのないスイッチ構造を提供する。【解決手段】スイッチ突起３に被せるスイッチカバー４に、スイッチ２をオン・オフするスライド方向Ｓにはスイッチ突起３を係止するがスライド方向Ｓに交差する方向Ｔにはスイッチ突起３を係止しないようにスリット４ａが設けられているので、スイッチカバー４はスイッチ突起３に対してスライド方向Ｓに略垂直に交差する方向Ｔへ相対移動可能となる。このため、スイッチカバー４にスライド方向Ｓに交差する方向Ｔの外力が作用した際には、スイッチカバー４がスイッチ突起３に対して移動するので、スイッチ突起３が破損することはない。【選択図】図１
2009148199.tif 000002
【特許請求の範囲】
【請求項１】
スイッチ突起が一方向に往復移動されることにより電気的にオン・オフを切り替えるためのスイッチ構造であって、
使用者が前記オン・オフを操作するため、前記スイッチ突起に被せられるスイッチカバーを更に備え、
当該スイッチカバーは、前記スイッチ突起に被せられる側の面に、前記スイッチ突起に係合して前記使用者の前記一方向の往復運動を伝達するための係合溝を有し、そして
当該係合溝は、前記一方向とは略垂直に交差する方向に所定の長さ又は全面に渡って設けられている
ことを特徴とするスイッチ構造。
【請求項２】
請求項１に記載のスイッチ構造を備えることを特徴とする害虫防除装置。
【発明の詳細な説明】
【技術分野】
【０００１】
本発明はスイッチ構造およびこのスイッチ構造を備えた害虫防除装置に関し、例えば携帯して使用される害虫防除装置等に使用することができるスイッチ構造及びこのスイッチ構造を備えた害虫防除装置に関する。
【背景技術】
【０００２】
従来より、携帯して使用される害虫防除装置として、害虫防除成分を保持した薬剤保持体をチャンバ内に支持し、チャンバ内に装備されモータにより駆動されるファンの回転により発生する気流を薬剤保持体に当てて、害虫防除成分をチャンバ外に揮散させるものが知られている（例えば、特許文献１参照）。
【０００３】
このような害虫防除装置においては、チャンバ内のモータを電気的にオン・オフするために、スイッチ突起を一方向にスライドさせて切り換えるスイッチが取付けられており、スイッチ突起をスライドさせるスイッチカバーがケース（チャンバ）の外面から突出した構造を有している。したがって、使用者は、スイッチカバーをスライドさせることにより、モータをオン・オフ切り換えて、害虫防除装置を作動あるいは停止させることができる。
【０００４】
【特許文献１】特開２００１−１９７８５６号公報
【発明の開示】
【発明が解決しようとする課題】
【０００５】
ところで、特許文献１に記載されている害虫防除装置のように、使用者が携帯する機器においては、使用者の不注意等により機器を落下させる虞がある。このような場合に、落下に伴う衝撃等の外力がケースから突出しているスイッチカバーに作用することにより、スイッチ突起が破損してスイッチのオン・オフ切り替えができなくなり、機器そのものが使用できなくなるという不都合があった。
【０００６】
本発明は、前述した問題点に鑑みてなされたものであり、その目的は、落下等の衝撃が作用した場合にも、オン・オフを電気的に切り替えるため一方向に往復移動されるスイッチ突起が破損することのないスイッチ構造及びこのスイッチ構造を備えた害虫防除装置を提供することにある。
【課題を解決するための手段】
【０００７】
本発明の目的は、下記の構成により達成される。
（１）  スイッチ突起が一方向に往復移動されることにより電気的にオン・オフを切り替えるためのスイッチ構造であって、
使用者が前記オン・オフを操作するため、前記スイッチ突起に被せられるスイッチカバーを更に備え、
当該スイッチカバーは、前記スイッチ突起に被せられる側の面に、前記スイッチ突起に係合して前記使用者の前記一方向の往復運動を伝達するための係合溝を有し、そして
当該係合溝は、前記一方向とは略垂直に交差する方向に所定の長さ又は全面に渡って設けられている
ことを特徴とするスイッチ構造。
（２）  上記（１）のスイッチ構造を備えることを特徴とする害虫防除装置。
【０００８】
上記（１）の構成によれば、スイッチカバーのスイッチ突起に被せられる側の面に、スイッチ突起に係合するための係合溝が、電気的にオン・オフするためスイッチ突起が往復移動されるスライド方向（一方向）とは略垂直に交差する方向に所定の長さ又は全面に渡って設けられているので、そのスイッチ突起が静止している際、係合溝はスライド方向にはスイッチ突起を係止するが、スライド方向とは略垂直の方向にはスイッチ突起を係止しないことになる。即ち、スイッチカバーはスイッチ突起に対してスライド方向とは略垂直方向に交差する方向へ相対移動することができる。このため、衝撃が作用し易いスイッチカバーに、スライド方向に交差する方向の衝撃が作用した際には、スイッチカバーがスイッチ突起に対して相対移動して衝撃を吸収することができるので、スイッチ突起の破損を回避することができる。なお、スライド方向の外力が作用した場合には、スイッチ突起はスライド方向に移動可能なので、破損を回避することができ、あまりその衝撃は問題とならない。
上記（２）の構成によれば、例えば、使用者が携帯して使用される害虫防除装置では、使用者の不注意等により装置本体を落下させることが多いが、害虫防除装置のスイッチ構造として、スイッチカバーのスイッチ突起に被せられる側の面に、スイッチ突起に係合するための係合溝が、電気的にオン・オフするためスイッチ突起が往復移動されるスライド方向（一方向）とは略垂直に交差する方向に所定の長さ又は全面に渡って設けられているので、その落下等によりその交差する方向に衝撃が作用した場合、スイッチカバーがスイッチ突起に対して相対移動して衝撃を吸収することができ、スイッチ突起の破損を回避することができる。なお、装置本体の落下等によりスライド方向に外力が作用した場合には、スイッチ突起はスライド方向に移動可能であるので、破損を回避することができ、あまりその衝撃は問題とならない。
【発明の効果】
【０００９】
本発明によれば、落下等の衝撃が作用した場合にも、オン・オフを電気的に切り替えるため一方向に往復移動されるスイッチ突起が破損することのないスイッチ構造及びこのスイッチ構造を備えた害虫防除装置を提供することができる。
【発明を実施するための最良の形態】
【００１０】
以下、本発明に係る好適な実施形態について、図面を参照しながら説明する。
図１は本発明に係るスイッチ構造を示す斜視図であり、図２はスイッチ構造を用いた回路の一例を示す回路図であり、図３（Ａ）はスイッチ構造におけるスイッチ突起の破損実験の内容を示す説明図であり、図３（Ｂ）は本発明のスイッチ構造におけるスイッチ突起の破損実験の内容を示す説明図であり、図４はスイッチ突起の破損実験の結果を示す表である。
【００１１】
図１に示すように、本発明に係るスイッチ構造１は、スイッチ２に設けられているスイッチ突起３を一方向（以下、スライド方向Ｓとも言う。）に往復移動することにより電気的にオン・オフを切り替えるためのものである。スイッチ突起３にはスイッチカバー４がこのスイッチ突起３の上方から被せられ、通常、スイッチカバー４が外部に突出することになるため、使用者はスイッチカバー４を直接操作してそのスライド方向Ｓに往復移動させることによりスイッチ２のオン・オフを電気的に切り換えることができる。
【００１２】
このスイッチ構造１は、例えば図２に示す回路に用いることができる。即ち、使用者がスイッチカバー４を移動させることによりスイッチ突起３をスライド方向Ｓと平行な方向である、図２中Ａ方向へ移動させて、スイッチ２をオンとすることにより、電気が供給され、このため、例えばモータＭが回転すると共にＬＥＤが点灯することになる。また、スイッチカバー４をＡ方向とは逆方向である、図２中Ｂ方向へ移動させてスイッチ２をオフとすることにより、電気の供給が停止され、例えばモータＭが停止すると共にＬＥＤが消灯することになる。
【００１３】
また、図１に示すように、スイッチ２のスイッチ本体２ａの一端辺（上辺）に沿ってスイッチ突起３がスライド方向Ｓに往復移動可能に設けられており、そしてスイッチ本体２ａの上はケース５で覆われている。ケース５にはスイッチ穴５ａが設けられており、スイッチ２のスイッチ突起３がこのスイッチ穴５ａを介してケース５の上面から突出するようになっている。
一方、スイッチカバー４のスイッチ突起に被せられる側の面、即ち裏面には、スイッチ突起３に係合して使用者のスライド方向Ｓの往復運動を伝達するための、スリット（係合溝）４ａが設けられており、ケース５の上からスイッチ突起３にスイッチカバー４が被せられることにより、スイッチ突起３がスリット４ａに係合することになる。
【００１４】
そして、スリット４ａは、スライド方向Ｓの幅Ｗ１がスイッチ突起３のスライド方向Ｓの幅Ｗ２と略同じとなるように形成され、そして、スライド方向Ｓと略垂直に交差する方向Ｔにはスイッチ突起の方向Ｔの幅寸法よりも長く形成されている。
なお、この方向Ｔには裏面の全面に渡って形成されてもよい。
【００１５】
このため、スイッチカバー４は、スイッチ突起３をスライド方向Ｓには係止するが、スライド方向Ｓに略垂直に交差する方向Ｔにはスイッチ突起３を係止しないことになる。
したがって、使用者がスイッチカバー４をスライド方向Ｓに往復移動させることにより、スイッチ２のオン・オフを電気的に切り換えることができるが、一方、例えばスライド方向Ｓと交差する方向Ｔに予期しない外力等によりスイッチカバー４が移動したとしても、スイッチカバー４がスリット４ａに沿って移動するのみであり、スイッチ突起３はスイッチ２に対して静止したままとなる。
【００１６】
これにより、スイッチカバー４にスライド方向Ｓに交差する方向Ｔの外力が作用した際には、スイッチカバー４がスイッチ突起３に対して相対移動することができるので、その外力による衝撃が逃げ、スイッチ突起３の破損を回避することができる。また、スライド方向Ｓの外力が作用した場合には、スイッチ突起３はスライド方向Ｓに移動可能なので、その外力に衝撃が逃げ、破損を回避することができる。
【００１７】
次に、本発明の効果を確認するため、本発明が適用されていないスイッチカバー（比較例）と、本発明に係るスイッチカバー（実施例）と、に外力（撃力）が直接作用した場合のスイッチ突起の破損状態を調べる試験について説明する。
＜Ａ．スイッチカバー（比較例及び実施例）衝撃試験＞
本発明の有用性をより正確に調べるため、比較例として、前述のスリット４ａの代わりにスイッチ突起３に嵌合される嵌合凹部が設けられたスイッチカバー４（比較例−１）と、本発明に係るスイッチカバー４（実施例―１）と、を用意し、スイッチカバー４の衝撃試験を行った。この衝撃試験では、マイナスドライバーをスイッチカバー４に４方向からそれぞれ直接当て（図３（Ａ）参照）、ドライバーをハンマーで叩いて撃力（打撃）を加えた。このときの試験結果を図４に示す。
【００１８】
なお、最大４００〜５００Ｎの荷重が発生するように、プッシュプルゲージにて確認しながらハンマーで叩いた。また、この比較例−１とは、前述の図１に示したスイッチカバー４のスリット４ａ部の形状が異なるのみであり、他の部分は共通である。即ち、比較例−１において、スイッチ突起３はスイッチカバー４の嵌合凹部７（図３（Ｂ）参照）に嵌合されており、スライド方向Ｓのみならずこのスライド方向Ｓに略垂直に交差する方向Ｔにもスイッチ突起３がスイッチカバー４に係止されるものを意味する。一方、本発明に係る実施例―１のスイッチカバー４は、図３（Ｂ）に示すように、前述したようにスイッチカバー４にスリット４ａ（幅１．３ｍｍ、深さ１．２ｍｍ）が形成されたものであり、即ち、比較例−１のスイッチカバー４における嵌合穴７の方向Ｔの両側部（図中斜線部分）が削り取られた構成となっている。
【００１９】
この衝撃試験の結果、図４に示すように、比較例−１について、方向３へ外力が作用した場合のみスイッチ突起３が破損したことがわかる。これは、スイッチカバー４に作用した衝撃は、どの方向においてもスイッチ突起３に伝達されることになるが、方向２および方向４については、スイッチ突起３のスライド方向Ｓであるためスイッチ突起３は移動可能であり、衝撃が逃げることになる。また、方向１について、スイッチ本体２ａの一端辺においてその衝撃をある程度受け止めることができるものと推察され、このため、スイッチ突起３は破損していないものと考えられる。そして、方向３に衝撃が作用した場合には、図１に示したように、その衝撃の方向にはスイッチ本体２ａがないため、スイッチ突起３のみでその衝撃をそのまま受けることになるものと推察され、このため、方向３の場合のみスイッチ突起３が破損しているものと考えられる。
【００２０】
一方、本発明に係る実施例−１については、図４に示すように、方向１〜方向４のいずれの衝撃に対しても、スイッチ突起３の破損は見られなかった。これは、方向１および方向３の衝撃がスイッチカバー４に作用すると、スイッチカバー４がスリット４ａに沿って移動するのみであり、衝撃はスイッチ突起３に伝達されない。このため、比較例−１においてスイッチ突起３が破損した方向の衝撃に対しても、破損を防止することができたことがわかる。
【００２１】
次に、前述した本発明に係るスイッチ構造１を適用した害虫防除装置について説明する。
図５は本発明に係る害虫防除装置の斜視図であり、図６（Ａ）は害虫防除装置の平面図であり、図６（Ｂ）は害虫防除装置の正面図であり、図６（Ｃ）は害虫防除装置の底面図であり、図７は害虫防除装置の分解斜視図であり、図８は害虫防除装置のケースを落下させた場合のスイッチ突起の破損実験の内容を示す説明図であり、図９は害虫防除装置におけるスイッチ突起の破損実験の結果を示す表である。
なお、前述したスイッチ構造１と共通する部位には同じ符号を付して、重複する説明を省略することにする。
【００２２】
図５に示すように、害虫防除装置１０は、起立した使用者の身につけて使用する。ここでは、害虫防除装置１０が、ベルトＢを介して使用者の身につけられおり、そして害虫防除装置１０は、チャンバ１１と薬剤保持体２０とを主に備えて構成されている。
【００２３】
図６（Ａ）〜（Ｃ）および図７に示すように、チャンバ１１は、平板及び当該平板に立設された周壁を有する、表側器体１２ａ、中間器体１２ｂ及び裏側器体１２ｃを組み合せて構成される。各平板は、長方形板の一端を半円板状にした形状であって、周壁は、平板の周りに円弧状に延びる円弧部分と、平板の周りに直線状に延びる直線部分とを有している。
【００２４】
図５及び図６に示すように、表側器体１２ａの周壁には、薬剤保持体２０を挿入するための挿入開口１５が設けられている。また、表側器体１２ａの平板上部には、チャンバ１１内に外気を取り入れるための吸気口２１が設けられている。吸気口２１は所定のパターンで配列された複数のスリット２１ａからなっている。図中、イチョウの葉を描くが如く表現するように配列された複数のスリット２１ａにより構成されている。また、平板下部には、後述するスイッチ２のスイッチカバー４を突出させるスイッチ開口１６が設けられている（図７参照）。
【００２５】
中間器体１２ｂの上部周壁には、起立した使用者の身につけられた状態におけるチャンバ１１の上部となる上部排気口１３ａが設けられている。また、起立した使用者の身につけられた状態におけるチャンバ１１の下部となる下部排気口１３ｂが設けられている。一方、中間器体１２ｂの平板上部には、ファンＦを収容する円形の開口１７ａが設けられており、平板下部にはスイッチ突起３を前方へ突出させるためのスイッチ開口１７ｂが設けられている（図７参照）。
【００２６】
裏側器体１２ｃの平板には、害虫防除装置１０を設置面（ここでは使用者の胴体表面）に係止する保持手段であるクリップ１９が設けられている。また、裏側器体１２ｃには、電池を出し入れする電池収納室の開口を塞ぐ蓋部材１８が取り付けられている。裏側器体１２ｃの内部空間１４ａには、ファンＦを回転させるモータＭが取付けられている。また、裏側器体１２ｃの下部内面１４ｂには、モータＭのオン・オフを電気的に切り換えるスイッチ２が設けられており、スライド方向Ｓに往復移動自在のスイッチ突起３が前方（図７において上方）に突出して設けられている。
【００２７】
したがって、裏側器体１２ｃに中間器体１２ｂを被せて取付ける際には、まず、裏側器体１２ｃに設けられているスイッチ２のスイッチ突起３を、中間器体１２ｂのスイッチ開口１７ｂから突出させる。そして、ファンＦをモータＭの回転軸に取付け、スイッチ突起３にスイッチカバー４を嵌め込む。前述したように、スイッチカバー４にはスリット４ａが設けられているので、このスリット４ａにスイッチ突起３を合わせる。そして、表側器体１２ａを取付ける際には、スイッチカバー４がスイッチ開口１６から突出するようにする。
【００２８】
これにより、スイッチカバー４をスライド方向Ｓへ移動させることによりスイッチ突起３を移動させることができ、害虫防除装置１０の使用者がモータＭのオン・オフを電気的に容易に切り換えることができる。
なお、スイッチカバー４がスライド方向Ｓと交差する方向Ｔへ移動可能であることは、スイッチ構造１において前述で説明したとおりである。
【００２９】
そして、図５に示すように、薬剤保持体２０は、円環状の枠体２５と、枠体２５の中央に配置された略円板状の中央部２７と、中央部２７から枠体２５に放射状に延びる桟２７ａと、枠体２５、中央部２７及び桟２７ａによって区画される複数の開口に架け渡されたネット状部材２６とを備えている。ネット状部材２６は、外形が略円形であり、その外周縁部を枠体２５に支持され、このネット状部材２６には、害虫防除成分を含む薬剤が保持されている。枠体２５の内周径は、吸気口２１である桟を設けた円形開口の外径より大きくされている。また、薬剤保持体２０の枠体２５の一端部には平板状の係合突起２８が設けられており、装着時に、チャンバ１１内部にその係合突起２８に対応した形状で設けられた係合凹部（不図示）に挿嵌されることになる。この係合突起２８及び係合凹部の係合により、チャンバ１１内部に着脱自在に保持されるだけではなく、害虫防除装置１０が揺動して逆さになってしまった場合にも、チャンバ１１内部に確実に保持される。
【００３０】
この薬剤保持体２０は、図中矢印Ｘで示すように、チャンバ１１の挿入開口１５を介してチャンバ１１内に挿着される。そして、吸気口２１である円形開口の中心を通る平板に垂直な軸と同軸状にチャンバ１１内に備えられたファンと、吸気口２１との間に薬剤保持体２０は配置されることになる。
【００３１】
次に、害虫防除装置１０に落下等の衝撃が作用した場合におけるスイッチ突起３の破損状態を調べる試験について説明する。
【００３２】
＜Ｂ．害虫防除装置衝撃（落下）試験＞
図８に示すように、実際の使用態様に近い状態での衝撃を確認するため、害虫防除装置を種々の高さに吊るした状態からコンクリート地面に落下させて衝撃を与え、スイッチ突起３の破損状態を調べた。
【００３３】
図９には、本発明が適用されていない比較例−２、及び本発明に係る実施例−２についての試験結果が示されている。
なお、比較例−２とは、前述した図１に示したスイッチカバー４のスリット４ａ部の形状が異なるのみであり、他の部分は共通である。即ち、比較例−２において、スイッチ突起３はスイッチカバー４の嵌合凹部７（図３（Ｂ）参照）に嵌合されており、スライド方向Ｓのみならずこのスライド方向Ｓに略垂直に交差する方向Ｔにもスイッチ突起３がスイッチカバー４に係止されるものを意味し、このように形成されたスイッチカバーを備えた害虫防除装置１０を指し示す。一方、実施例−２とは、スイッチカバー４にスリット４ａが形成されたものであり、本発明のスイッチ構造１を備えた害虫防除装置１０を指し示している。
【００３４】
衝撃試験の結果、図９に示すように、比較例−２においては７０ｃｍ及び１００ｃｍの高さから落下させた場合に破損が確認された。
一方、図９に示すように、スリット４ａが形成された本発明に係る実施例−２については、７０ｃｍ、１００ｃｍ、１５０ｃｍのいずれの高さから落下させた場合でも、スイッチ突起３の破損は確認されなかった。
【００３５】
以上、説明した害虫防除装置１０によれば、スイッチカバー４の裏面に、スイッチ突起３に係合するためのスリット４ａが、電気的にオン・オフするためのスイッチ突起３に対してスライド方向Ｓとは略垂直に交差する方向Ｔにその全面に渡って設けられているので、例えば害虫防除装置１０が落下した場合等、方向Ｔに衝撃等の外力が作用したとき、スイッチカバー４はスイッチ突起３に対して相対移動して衝撃を吸収することができ、スイッチ突起３の破損を回避することができる。
なお、害虫防除装置１０の落下等によりスライド方向Ｓの衝撃が作用した場合には、スイッチ突起３はスライド方向Ｓに移動可能なので、破損を回避することができる。
【００３６】
なお、本発明のスイッチ構造は、前述した各実施形態に限定されるものでなく、適宜な変形，改良等が可能である。
例えば、前述した実施形態において、スイッチ突起３の形状を矩形断面とした場合について例示したが、円形断面等にすることもできる。また、スリット４ａをスイッチカバー４の裏面で全面に渡って設けたが、スイッチ突起３の破損が回避できればよく、より具体的には、前述の方向Ｔでスイッチカバー４がスイッチ突起３に対して相対移動し得る寸法長さでスリット４ａが設けられていればよい。
【図面の簡単な説明】
【００３７】
【図１】本発明に係るスイッチ構造を示す斜視図である。
【図２】スイッチ構造を用いた回路の一例を示す回路図である。
【図３】（Ａ）はスイッチ構造におけるスイッチ突起の破損実験の内容を示す説明図であり、（Ｂ）は本発明のスイッチ構造におけるスイッチ突起の破損実験の内容を示す説明図である。
【図４】スイッチ突起の破損実験の結果を示す表である。
【図５】本発明に係る害虫防除装置の斜視図である。
【図６】（Ａ）は害虫防除装置の平面図であり、（Ｂ）は害虫防除装置の正面図であり、（Ｃ）は害虫防除装置の底面図である。
【図７】害虫防除装置の分解斜視図である。
【図８】害虫防除装置のケースを落下させた場合のスイッチ突起の破損実験の内容を示す説明図である。
【図９】害虫防除装置におけるスイッチ突起の破損実験の結果を示す表である。
【符号の説明】
【００３８】
１    スイッチ構造
２    スイッチ
３    スイッチ突起
４    スイッチカバー
４ａ  スリット（係合溝）
１０  害虫防除装置
【図１】
2009148199.tif 000003
【図２】
2009148199.tif 000004
【図３】
2009148199.tif 000005
【図４】
2009148199.tif 000006
【図５】
2009148199.tif 000007
【図６】
2009148199.tif 000008
【図７】
2009148199.tif 000009
【図８】
2009148199.tif 000010
【図９】
2009148199.tif 000011